(57)【要約】    【課題】  高ズーム比で、広角端から望遠端における全ズーム範囲にわたり色収差を良好に補正し、全ズーム範囲において高い光学性能を有するズームレンズ及びそれを有する撮像装置を得ること。    【解決手段】  物体側から像側へ順に、正の屈折力の第１レンズ群と、負の屈折力の第２レンズ群と、正の屈折力の第３レンズ群と、正の屈折力の第４レンズ群と、を有するズームレンズであって、該第４レンズ群は、最も距離の長い空気間隔よりも物体側に配置された負の屈折力の第４１レンズ群と前記空気間隔よりも像側に配置された正の屈折力の第４２レンズ群より成り、該第４１レンズ群は負の第４１１レンズを有し、該第４２レンズ群は正の第４２１レンズを有し、該第４１１レンズの材料のアッベ数と部分分散比νｄ411、θｇＦ411、第４２１レンズの材料のアッベ数と部分分散比νｄ421、θｇＦ421を各々適切に設定すること。【選択図】    図１
2010276761.tif 000002
【特許請求の範囲】
【請求項１】
物体側から像側へ順に、ズーミングに際して不動の正の屈折力の第１レンズ群と、ズーミングに際して移動する負の屈折力の第２レンズ群と、ズーミングに際して移動する正の屈折力の第３レンズ群と、ズーミングに際して不動の正の屈折力の第４レンズ群と、を有するズームレンズであって、該第４レンズ群は、最も距離の長い空気間隔よりも物体側に配置された負の屈折力の第４１レンズ群と前記空気間隔よりも像側に配置された正の屈折力の第４２レンズ群より成り、該第４１レンズ群は負の第４１１レンズを有し、該第４２レンズ群は正の第４２１レンズを有し、該第４１１レンズの材料のアッベ数と部分分散比を各々νｄ411、θｇＦ411、第４２１レンズの材料のアッベ数と部分分散比を各々νｄ421、θｇＦ421とするとき、
−２．１００×１０−３×νｄ411＋０．６９３＜θｇＦ411
−２．１００×１０−３×νｄ421＋０．６９３＜θｇＦ421
０．５５５  ＜  θｇＦ411  ＜  ０．９００
０．５５５  ＜  θｇＦ421  ＜  ０．９００
なる条件を満足することを特徴とするズームレンズ。
【請求項２】
前記第４１１レンズと第４２１レンズの材料の部分分散比を各々θｇｄ411、θｇｄ421とするとき
−２．４０７×１０−３×νｄ411＋１．４２０＜θｇｄ411
−２．４０７×１０−３×νｄ421＋１．４２０＜θｇｄ421
１．２５５  ＜  θｇｄ411  ＜  １．６７０
１．２５５  ＜  θｇｄ421  ＜  １．６７０
なる条件を満足することを特徴とする請求項１のズームレンズ。
【請求項３】
前記ズームレンズは、撮像素子を有する撮像装置本体に着脱可能であって、前記第４レンズ群の第４２１レンズは、広角端において該第４２１レンズを通過する軸上光束のうち光軸から最も遠い位置を通過する光線の光軸からの高さをＨ421、該第４２１レンズを通過する最大画角の軸外光束の主光線の光軸からの高さをＨ’421とするとき、
０．３５  ＜  Ｈ’421／Ｈ421
なる条件を満足する位置に配置されていることを特徴とする請求項１又は２のズームレンズ。
【請求項４】
前記ズームレンズは、撮像素子を有する撮像装置本体に着脱可能であって、前記第４レンズ群の第４１１レンズは、広角端において該第４１１レンズを通過する軸上光束のうち光軸から最も遠い位置を通過する光線の光軸からの高さをＨ411、該第４１１レンズを通過する最大画角の軸外光束の主光線の光軸からの高さをＨ’411とするとき、
Ｈ’411／Ｈ411  ＜  ０．３４
なる条件を満足する位置に配置されていることを特徴とする請求項１、２又は３のズームレンズ。
【請求項５】
前記第４１群の焦点距離をf41、前記第４２群の焦点距離をf42、前記第４１１レンズの焦点距離をfL411、前記第４２１レンズの焦点距離をfL421とするとき、
０．２５  ＜  f41／fL411  ＜  ０．６５
０．２  ＜  f42/fL421  ＜  ０．４
なる条件式を満足することを特徴とする請求項１乃至４のいずれか１項のズームレンズ。
【請求項６】
前記第４１１レンズの焦点距離をfL411、前記第４２１レンズの焦点距離をfL421とするとき、
−０．９５  ＜  fL411/fL421  ＜  −０．５５
なる条件を満足することを特徴とする請求項１乃至５のいずれか１項のズームレンズ。
【請求項７】
前記第４１群の焦点距離をf41、前記第４２群の焦点距離をf42とするとき、
−１．５０  ＜  ｆ４１／ｆ４２  ＜  −０．５０
なる条件を満足することを特徴とする請求項１乃至６のいずれか１項のズームレンズ。
【請求項８】
物体側から像側へ順に、ズーミングに際して不動の正の屈折力の第１レンズ群と、ズーミングに際して移動する負の屈折力の第２レンズ群と、ズーミングに際して移動する正の屈折力の第３レンズ群と、ズーミングに際して不動の結像作用をする正の屈折力の第４レンズ群と、を有するズームレンズであって、
該第４レンズ群は、最も距離の長い空気間隔よりも物体側に配置された負の屈折力の第４１レンズ群と前記空気間隔よりも像側に配置された正の屈折力の第４２レンズ群より成り、該第４２レンズ群は正の第４２１レンズを有し、第４２１レンズの材料のアッベ数と部分分散比を各々νｄ421、θｇＦ421とするとき、
−２．１００×１０−３×νｄ421＋０．６９３＜θｇＦ421
０．５５５  ＜  θｇＦ421  ＜  ０．９００
なる条件を満足することを特徴とするズームレンズ。
【請求項９】
前記第４２１レンズの材料の部分分散比をθｇｄ421とするとき
−２．４０７×１０−３×νｄ421＋１．４２０＜θｇｄ421
１．２５５  ＜  θｇｄ421  ＜  １．６７０
なる条件を満足することを特徴とする請求項８のズームレンズ。
【請求項１０】
前記ズームレンズは、撮像素子を有する撮像装置本体に着脱可能であって、前記第４レンズ群の第４２１レンズは、広角端において該第４２１レンズを通過する軸上光束のうち光軸から最も遠い位置を通過する光線の光軸からの高さをＨ421、該第４２１レンズを通過する最大画角の軸外光束の主光線の光軸からの高さをＨ’421とするとき、
０．３５  ＜  Ｈ’421／Ｈ421
なる条件を満足する位置に配置されていることを特徴とする請求項８又は９のズームレンズ。
【請求項１１】
前記第４２群の焦点距離をf42、前記第４２１レンズの焦点距離をfL421とするとき、
０．２  ＜  f42/FL421  ＜  ０．４
なる条件式を満足することを特徴とする請求項８乃至１０のいずれか１項のズームレンズ。
【請求項１２】
前記第４１群の焦点距離をf41、前記第４２群の焦点距離をf42とするとき、
−１．４５  ＜  ｆ４１／ｆ４２  ＜  −０．５０
なる条件を満足することを特徴とする請求項８乃至１１のいずれか１項のズームレンズ。
【請求項１３】
請求項１乃至１２のいずれか１項のズームレンズと、該ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、高ズーム比でしかも高い光学性能を有したズームレンズが要望されている。高ズーム比のズームレンズとして、最も物体側に正の屈折力のレンズ群を配置し、全体として４つのレンズ群より成るポジティブリード型で、テレフォト型の４群ズームレンズが知られている。例えば合焦用の正の屈折力の第１レンズ群、変倍用の負の屈折力の第２レンズ群、像面変動補正用の正又は負の屈折力の第３レンズ群、結像用の正の屈折力の第４レンズ群より成る４群ズームレンズが知られている。この４群ズームレンズにおいて、異常分散性を有する光学材料を用い、色収差を良好に補正し、高い光学性能を有した４群ズームレンズが知られている（特許文献１、２）。
【先行技術文献】
【特許文献】
【０００３】
【特許文献１】特開２００６−１４５８２３号公報
【特許文献２】特開２００４−１０９９９３号公報
【発明の概要】
【発明が解決しようとする課題】
【０００４】
前述した構成のポジティブリード型の４群ズームレンズは高ズーム比が比較的容易である。この４群ズームレンズにおいて高い光学性能を得るには、広角端における倍率色収差および望遠端における軸上色収差を良好に補正することが重要である。異常分散性を有する光学材料を使用すれば倍率色収差や軸上色収差を良好に補正するのが容易になる。但し、その際に、その他の収差への影響を適切に吸収する部位（レンズ）を設定しないと、色収差の補正バランスが悪化してくる。
【０００５】
一般的には絞りよりも像面側では、広角端において軸上光線のレンズ面への入射高の高さが最大となる。このため、絞りよりも像面側において、異常分散性の光学材料より成るレンズを使用すると倍率色収差だけでなく、軸上色収差にも影響を与えてしまう。このため、双方をバランス良く補正するのが困難となる。従って、明るく、かつ高ズーム比のズームレンズにおいては、倍率色収差の補正効果を確保し、且つ軸上色収差も適切に行い、バランス良く補正することが重要になってくる。特に、ポジティブリード型の４群ズームレンズにおいて、全ズーム範囲にわたり、高い光学性能を得るにはズーミングに際して不動の第４レンズ群のレンズ構成を、適切に設定することが重要な要素になっている。第４レンズ群のレンズ構成が不適切であると、色収差を含む諸収差が多くなり、全ズーム領域で高い光学性能を得るのが難しくなってくる。
【０００６】
本発明は、高ズーム比で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【０００７】
本発明のズームレンズは、物体側から像側へ順に、ズーミングに際して不動の正の屈折力の第１レンズ群と、ズーミングに際して移動する負の屈折力の第２レンズ群と、ズーミングに際して移動する正の屈折力の第３レンズ群と、ズーミングに際して不動の正の屈折力の第４レンズ群と、を有するズームレンズであって、該第４レンズ群は、最も距離の長い空気間隔よりも物体側に配置された負の屈折力の第４１レンズ群と前記空気間隔よりも像側に配置された正の屈折力の第４２レンズ群より成り、該第４１レンズ群は負の第４１１レンズを有し、該第４２レンズ群は正の第４２１レンズを有し、該第４１１レンズの材料のアッベ数と部分分散比を各々νｄ411、θｇＦ411、第４２１レンズの材料のアッベ数と部分分散比を各々νｄ421、θｇＦ421とするとき、
−２．１００×１０−３×νｄ411＋０．６９３＜θｇＦ411
−２．１００×１０−３×νｄ421＋０．６９３＜θｇＦ421
０．５５５  ＜  θｇＦ411  ＜  ０．９００
０．５５５  ＜  θｇＦ421  ＜  ０．９００
なる条件を満足することを特徴としている。
【発明の効果】
【０００８】
本発明によれば、高ズーム比で、広角端から望遠端における全ズーム範囲にわたり色収差を良好に補正し、全ズーム範囲において高い光学性能を有するズームレンズ及びそれを有する撮像装置が得られる。
【図面の簡単な説明】
【０００９】
【図１】数値実施例１の広角端でフォーカス無限時の断面図
【図２】図１の第３レンズ群（Ｕ３）以降を拡大した断面図
【図３】数値実施例１の広角端でフォーカス3.5mのときの収差図
【図４】数値実施例１の焦点距離31.29mmでフォーカス3.5mのときの収差図
【図５】数値実施例１の望遠端でフォーカス3.5mのときの収差図
【図６】数値実施例２の広角端でフォーカス無限時の断面図
【図７】図６の第３レンズ群（Ｕ３）以降を拡大した断面図
【図８】数値実施例２の広角端でフォーカス3.5mのときの収差図
【図９】数値実施例２の焦点距離31.29mmでフォーカス3.5mのときの収差図
【図１０】数値実施例２の望遠端でフォーカス3.5mのときの収差図
【図１１】数値実施例３の広角端でフォーカス無限時の断面図
【図１２】図１１の第３レンズ群（Ｕ３）以降を拡大した断面図
【図１３】数値実施例３の広角端でフォーカス3.5mのときの収差図
【図１４】数値実施例３の焦点距離31.29mmでフォーカス3.5mのときの収差図
【図１５】数値実施例３の望遠端でフォーカス3.5mのときの収差図
【図１６】数値実施例４の広角端でフォーカス無限時の断面図
【図１７】図１６の第３レンズ群（Ｕ３）以降を拡大した断面図
【図１８】数値実施例４の広角端でフォーカス3.5mのときの収差図
【図１９】数値実施例４の焦点距離31.29mmでフォーカス3.5mのときの収差図
【図２０】数値実施例４の望遠端でフォーカス3.5mのときの収差図
【図２１】数値実施例５の広角端でフォーカス無限時の断面図
【図２２】図２１の第３レンズ群（Ｕ３）以降を拡大した断面図
【図２３】数値実施例５の広角端でフォーカス3.5mのときの収差図
【図２４】数値実施例５の焦点距離31.29mmでフォーカス3.5mのときの収差図
【図２５】数値実施例５の望遠端でフォーカス3.5mのときの収差図
【図２６】数値実施例６の広角端でフォーカス無限時の断面図
【図２７】図２６の第３レンズ群（Ｕ３）以降を拡大した断面図
【図２８】数値実施例６の広角端でフォーカス3.5mのときの収差図
【図２９】数値実施例６の焦点距離60.85mmでフォーカス3.5mのときの収差図
【図３０】数値実施例６の望遠端でフォーカス3.5mのときの収差図
【図３１】数値実施例７の広角端でフォーカス無限時の断面図
【図３２】図３１の第３レンズ群（Ｕ３）以降を拡大した断面図
【図３３】数値実施例７の広角端でフォーカス3.5mのときの収差図
【図３４】数値実施例７の焦点距離61.38mmでフォーカス3.5mのときの収差図
【図３５】数値実施例７の望遠端でフォーカス3.5mのときの収差図
【図３６】数値実施例８の広角端でフォーカス無限時の断面図
【図３７】図３６の第３レンズ群（Ｕ３）以降を拡大した断面図
【図３８】数値実施例８の広角端でフォーカス3.5mのときの収差図
【図３９】数値実施例８の焦点距離31.29mmでフォーカス3.5mのときの収差図
【図４０】数値実施例８の望遠端でフォーカス3.5mのときの収差図
【図４１】数値実施例１の広角端における第３レンズ群（Ｕ３）以降の光路図
【図４２】本発明の撮像装置の要部概略図
【発明を実施するための形態】
【００１０】
以下に、本発明の実施の形態を添付の図面に基づいて詳細に説明する。本発明のズームレンズは、物体側から像側へ順に、合焦用レンズ群を含みズーミングに際して不動の正の屈折力の第１レンズ群Ｕ１を有している。更に、広角端（短焦点距離端）から望遠端（長焦点距離端）へのズーミングに際して、像側へ移動する変倍用の負の屈折力の第２レンズ群Ｕ２を有している。更に、第２群レンズ群Ｕ２の移動に連動して光軸上を移動し、変倍に伴う像面変動を補正する正の屈折力の第３レンズ群Ｕ３、ズーミングに際して不動の結像作用をする正の屈折力の第４レンズ群Ｕ４を有している。このようなズームレンズによって、物体の像を光電変換素子等の撮像素子上に結んでいる。第４レンズ群は最も距離の長い空気間隔を境に負の屈折力の第４１レンズ群と正の屈折力の第４２レンズ群を有している。
【００１１】
図１は本発明の実施例１（数値実施例１）であるズームレンズの広角端で無限遠物体に合焦しているときのレンズ断面図である。図２は図１の一部分の拡大説明図である。図３、図４、図５は、数値実施例１の広角端、焦点距離３１．２９ｍｍ、望遠端における距離３．５ｍの物体に合焦しているときの縦収差図である。但し、焦点距離と物体距離の値は、後述する数値実施例をｍｍ単位で表したときの値である。物体距離は像面からの距離である。これらは以下の各実施例において、全て同じである。図６は本発明の実施例２（数値実施例２）であるズームレンズの広角端で無限遠物体に合焦しているときのレンズ断面図である。図７は図６の一部分の拡大説明図である。図８、図９、図１０は、数値実施例２の広角端、焦点距離３１．２９ｍｍ、望遠端における距離３．５ｍの物体に合焦しているときの縦収差図である。
【００１２】
図１１は本発明の実施例３（数値実施例３）であるズームレンズの広角端で無限遠物体に合焦しているときのレンズ断面図である。図１２は図１１の一部分の拡大説明図である。図１３、図１４、図１５は、数値実施例３の広角端、焦点距離３１．２９ｍｍ、望遠端における距離３．５ｍの物体に合焦しているときの縦収差図である。図１６は本発明の実施例４（数値実施例４）であるズームレンズの広角端で無限遠物体に合焦しているときのレンズ断面図である。図１７は図１６の一部分の拡大説明図である。図１８、図１９、図２０は、数値実施例４の広角端、焦点距離３１．２９ｍｍ、望遠端における距離３．５ｍの物体に合焦しているときの縦収差図である。
【００１３】
図２１は本発明の実施例５（数値実施例５）であるズームレンズの広角端で無限遠物体に合焦しているときのレンズ断面図である。図２２は図２１の一部分の拡大説明図である。図２３、図２４、図２５は、数値実施例５の広角端、焦点距離３１．２９ｍｍ、望遠端における距離３．５ｍの物体に合焦しているときの縦収差図である。図２６は本発明の実施例６（数値実施例６）であるズームレンズの広角端で無限遠物体に合焦しているときのレンズ断面図である。図２７は図２６の一部分の拡大説明図である。図２８、図２９、図３０は、数値実施例３の広角端、焦点距離３１．２９ｍｍ、望遠端における距離３．５ｍの物体に合焦しているときの縦収差図である。
【００１４】
図３１は本発明の実施例７（数値実施例７）であるズームレンズの広角端で無限遠物体に合焦しているときのレンズ断面図である。図３２は図３１の一部分の拡大説明図である。図３３、図３４、図３５は、数値実施例７の広角端、焦点距離３１．２９ｍｍ、望遠端における距離３．５ｍの物体に合焦しているときの縦収差図である。図３６は本発明の実施例８（数値実施例８）であるズームレンズの広角端で無限遠物体に合焦しているときのレンズ断面図である。図３７は図３６の一部分の拡大説明図である。図３８、図３９、図４０は、数値実施例８の広角端、焦点距離３１．２９ｍｍ、望遠端における距離３．５ｍの物体に合焦しているときの縦収差図である。
【００１５】
図４１は数値実施例１の広角端における第３レンズ群以降の光路説明図である。図４２は本発明の撮像装置の概略図である。レンズ断面図において、Ｕ１はズーミングに際して不動の正の屈折力の第１レンズ群である。第１レンズ群Ｕ１は、フォーカスのための屈折力を有し、全体又は一部の屈折力のあるレンズ群を移動することにより、フォーカスを行っている。Ｕ２はズーミング時に可動の負の屈折力の第２レンズ群（バリエータレンズ群）である。Ｕ３はズーミング時に可動であり、変倍に伴う像面位置の変動を補正する正の屈折力の第３レンズ群（コンベンセーターレンズ群）である。第３レンズ群Ｕ３は、広角端から望遠端への変倍に際して、第２群レンズ群Ｕ２の移動に連動して光軸上を移動して、変倍に伴う像面変動を補正している。
【００１６】
ＳＰは開口絞りであり、第３レンズ群Ｕ３の像側に配置されている。Ｕ４は結像のための正の屈折力の第４レンズ群（リレーレンズ群）である。第４レンズ群Ｕ４は最も距離の長い空気間隔を境に負の屈折力の第４１レンズ群Ｕ４１と正の屈折力の第４２レンズ群Ｕ４２を有している。第４１レンズ群Ｕ４１は、その全部又は一部が他の光学系と交換するため光路中より挿脱することも可能になっている。例えば、第４１レンズ群Ｕ４１の全部又は一部Ｕ４１ａを他の光学系Ｕ４１ｂと入れ替えることで全系の焦点距離を長焦点距離側にシフトすることも可能になっている。Ｌ４１１は第４１レンズ群Ｕ４１の一部を構成し、異常分散性を有する光学材料からなる負の第４１レンズである。Ｌ４２１は第４２レンズ群Ｕ４２の一部を構成し、異常分散性を有する光学材料からなる正の第４２１レンズである。ＤＧは色分解プリズムや光学フィルターであり、硝子ブロックとして示している。ＩＰは像面であり、固体撮像素子（光電変換素子）の撮像面に相当している。
【００１７】
収差図は、ｅ線を基準波長として表記している。収差図において、球面収差は、ｇ線とｅ線とＣ線とＦ線を示している。非点収差はｅ線とｇ線のメリディオナル像面（ｍｅｒｉ）とｅ線とｇ線のサジタル像面（ｓａｇｉ）を示している。倍率色収差はｇ線とＣ線とＦ線によってあらわしている。ＦｎｏはＦナンバー、ωは半画角である。すべての収差図において、球面収差は０．４ｍｍ、非点収差は０．４ｍｍ、歪曲は５％、倍率色収差は、０．０５ｍｍのスケールで描かれている。尚、以下の各実施例において広角端と望遠端は変倍用の第２レンズ群Ｕ２が機構上光軸上を移動可能な範囲の両端に位置したときのズーム位置をいう。
【００１８】
次に各実施例の特徴について説明する。本発明の実施例１〜６は、第４レンズ群Ｕ４は、最も距離の長い空気間隔を境に負の屈折力の第４１レンズ群Ｕ４１と正の屈折力の第４２レンズ群Ｕ４２より成っている。そして第４１レンズ群Ｕ４１は負の第４１１レンズＬ４１１を有し、第４２レンズ群Ｕ４２は正の第４２１レンズＬ４２１を有している。第４１１レンズＬ４１１の材料のアッベ数と、ｇ線とＦ線に対する部分分散比を各々νｄ411、θｇＦ411、第４２１レンズＬ４２１の材料のアッベ数と、ｇ線とＦ線に対する部分分散比を各々νｄ421、θｇＦ421とする。このとき、
【００１９】
【数１】
2010276761.tif 000003
【００２０】
なる条件を満足している。又、各実施例のズームレンズとズームレンズによって形成された像を受光する固体撮像素子とを有する撮像装置に用いるときにはズームレンズは次の条件式（３）又は（４）を満足している。図４１に示すように広角端において、第４レンズ群Ｕ４の第４２１レンズＬ４２１は、第４２１レンズＬ４２１を通過する軸上光束のうち光軸から最も遠い位置を通過する光線の光軸からの高さをＨ421とする。又、第４２１レンズＬ４２１を通過する最大画角の軸外光束の主光線の光軸からの高さをＨ’421とする。このとき、第４２１レンズＬ４２１は、
０．３５  ＜  Ｈ’421／Ｈ421      ・・・（３）
なる条件を満足する位置に配置されている。又、図４１に示すように、第４１１レンズＬ４１１は、第４１１レンズＬ４１１を通過する軸上光線の高さをＨ411とする。又、軸外光束の主光線の高さをＨ’411とする。このとき第４１１レンズＬ４１１は、
Ｈ’411／Ｈ411  ＜  ０．３４      ・・・（４）
なる条件を満足する位置に配置されている。
【００２１】
実施例７，８は、第４１レンズ群Ｕ４１に負の第４１１レンズＬ４１１に相当するレンズを有していない。このため、実施例７〜８は条件式(1-2)、(2-2)、（３）だけを満足している。また、実施例１〜６は、第４１群Ｕ４１の焦点距離をf41、第４２群Ｕ４２の焦点距離をf42、第４１１レンズＬ４１１の焦点距離をfL411、第４２１レンズＬ４２１の焦点距離をfL421とするとき、
【００２２】
【数２】
2010276761.tif 000004
なる条件式を満足している。また、実施例１〜６は、第４１１レンズＬ４１１の焦点距離をfL411、第４２１レンズＬ４２１の焦点距離をfL421とするとき、
−０．９５  ＜  fL411/fL421  ＜  −０．５５  ・・・（６）
なる条件を満足している。実施例７，８は、第４１レンズ群Ｕ４１に負の第４１１レンズＬ４１１に相当するレンズを有していない。このため、実施例７，８は条件式(5-2)、（７）だけを満足している。また、実施例１〜８は、第４１群Ｕ４１の焦点距離をf41、第４２群Ｕ４２の焦点距離をf42とするとき、
−１．５０  ＜  ｆ４１／ｆ４２  ＜  −０．５０  ・・・（７）
なる条件を満足している。
【００２３】
各実施例のズームレンズは、条件式（１）、（２）を満たす異常分散性の強い（大きい）光学材料で形成した屈折光学素子を第４１レンズ群Ｕ４１では負の第４１１レンズＬ４１１、第４２レンズ群では正の第４２１レンズＬ４２１に用いている。尚、ここで屈折光学素子とは屈折作用でパワーが生じる、例えば屈折レンズ等を意味し、回折作用でパワーが生じる回折光学素子を含んでいない。また光学材料は、光学系を使用する状態では固体であるが、製造時などの光学系を使用する前での状態は、どのような状態であっても良い。例えば、製造時には液体材料であっても、それを硬化させて固体材料としたものでも良い。ここで、条件式（１）、（２）中のアッベ数νｄと部分分散比θｇＦは、以下の式（８）、（９）によって定義される物理量である。式（８），（９）中のＮｇ，ＮＦ，Ｎｄ，ＮＣ  はそれぞれ、ｇ線（波長４３５．８ｎｍ），Ｆ線（波長４８６．１ｎｍ），ｄ線（波長５８７．６ｎｍ），Ｃ線（波長６５６．３ｎｍ）に対する材料の屈折率である。
【００２４】
νｄ＝（Ｎｄ−１）／（ＮＦ−ＮＣ）    ・・・（８）
θｇＦ＝（Ｎｇ−ＮＦ）／（ＮＦ−ＮＣ）    ・・・（９）
異常分散性を利用して倍率色収差の補正に最も効果的なレンズの光学系中の配置は、レンズの近軸配置を解析することで判断できる。その解析の主な基準となるのは、レンズ中で軸上光束と軸外光束の光軸からの光路高さの比と、レンズ径を考慮したときのレンズが持ちうる屈折力の大きさである。
【００２５】
各実施例のズームレンズのズームタイプでは、レンズ系中の最も像面に近い箇所や或いはその近傍に条件式（１）及び（２）を満たす光学材料より成る第４２１レンズＬ４２１を配置するのが広角端において倍率色収差の補正に最も効果的である。後述する数値実施例１〜８で示した例やその他の類似の場合も含め、各実施例のズームレンズのズームタイプの第４２レンズ群Ｕ４２に該光学材料より成る第４２１レンズＬ４２１を配することで、倍率色収差を効率的に補正している。さらに、実施例１〜６では第４２レンズ群Ｕ４２の第４２１レンズＬ４２１により発生する広角端における軸上色収差は、同様の解析から第４１レンズ群Ｕ４１に、前述の光学材料より成る第４１１レンズＬ４１１を配することで補正している。即ち、正の第４２１レンズＬ４２１による倍率色収差の補正及び軸上色収差の補正を効果的に行っている。この理由により、条件式（１）及び（２）を満足する光学材料を第４１レンズ群Ｕ４１に負の第４１１レンズＬ４１１として、第４２レンズ群Ｕ４２に正の第４２１レンズＬ４２１として用いている。これによって、広角端において軸上色収差と倍率色収差をより良好に補正している。
【００２６】
条件式（１）及び（２）の条件から外れると異常分散性が小さくなるため、広角端において倍率色収差を良好に補正するのが困難となる。尚、実施例７〜８は負の第４１１レンズＬ４１１を有していないが、正の第４２１レンズＬ４２１を有することによって、所定の効果を得ている。条件式（１）及び（２）式を満足する具体的な光学材料としては、ＵＶ硬化樹脂（Ｎｄ＝１．６３５，νｄ＝２２．７，θｇＦ＝０．６９）やＮ−ポリビニルカルバゾール（Ｎｄ＝１．６９６，νｄ＝１７．７，θｇＦ＝０．６９）がある。なお、条件式（１）及び（２）を満足する材質であれば、これらに限定するものではない。更に好ましくは条件式（１）及び（２）を満足する第４１１レンズと第４２１レンズの光学材料のｄ線とｇ線に対する部分分散比θｇｄ411、θｇｄ421は、以下の条件式（１０）及び（１１）をも満足することが良い。
【００２７】
【数３】
2010276761.tif 000005
【００２８】
尚、ｇ線とｄ線に対する部分分散比θｇｄは
θｇｄ＝（ＮｇーＮｄ）／（ＮＦ−ＮＣ）
で表されるものである。条件式（１）及び（２）に加えて、条件式（１０）及び（１１）をも同時に満足すれば、ｇ線とｄ線間の色収差の補正を良好に行うことが容易になる。これにより、ｇ線〜Ｃ線の波長帯域でより緻密な色収差の補正が容易になる。実施例７，８は負の第４１１レンズＬ４１１を有していないので、条件式(10-2)、(11-2)だけを満足している。実施例１〜６のズームレンズを有する撮像装置としては、第４２レンズ群Ｕ４２の正の第４２１レンズＬ４２１は条件式（３）を満足し、第４１レンズ群Ｕ４１の負の第４１１レンズＬ４１１は条件式（４）を満足している。
【００２９】
条件式（３）は、広角端における倍率色収差の補正を効果的に行うために正の第４２１レンズＬ４２１の光路中の配置位置を規定する条件式である。下限値を超えると広角端において倍率色収差の補正を効果的に行うのが困難となるばかりでなく、軸上色収差が悪化するので良くない。正の第４２１レンズＬ４２１を用いることにより倍率色収差の補正を効果的に行うことができるが、広角端において軸上色収差が少なからず悪化する。条件式（４）は、正の第４２１レンズＬ４２１の広角端における倍率色収差の補正効果を維持しつつ軸上色収差の補正のための負の第４１１レンズＬ４１１の光路中における配置位置を規定する条件式である。上限値を超えると軸上色収差が過剰補正になるばかりでなく、正の第４２１レンズＬ４２１による倍率色収差の補正効果を打ち消してしまい、倍率色収差の補正が不十分になってしまう。
【００３０】
実施例７，８は負の第４１１レンズＬ４１１を有していないので、条件式（３）だけを満足している。  また、実施例１〜６のズームレンズを有する撮像装置としては、条件式（５）を満足している。条件式（５）は、倍率色収差、軸上色収差の補正を効果的に行うための第４１群Ｕ４１の焦点距離f41と第４１１レンズＬ４１１の焦点距離fL411及び第４２群Ｕ４２の焦点距離f42と第４２１レンズＬ４２１焦点距離fL421の関係を規定している。下限値を超えると、倍率色収差、軸上色収差の補正効果が十分に得られない。上限値を超えると、倍率色収差、軸上色収差の補正効果が過剰になる。実施例７〜８は負の第４１１レンズＬ４１１を有していないので、条件式（5-2）だけを満足している。
【００３１】
また、実施例１〜６のズームレンズを有する撮像装置としては、条件式（６）を満足している。条件式（６）は、倍率色収差、軸上色収差の補正を効果的に行うための第４１１レンズＬ４１１の焦点距離fL411と第４２１レンズＬ４２１焦点距離fL421の焦点距離の関係を規定している。下限値を超えると、軸上色収差の補正効果が十分に得られない。上限値を超えると、軸上色収差の補正効果が過剰になる。また、実施例１〜８のズームレンズを有する撮像装置としては、条件式（７）を満足している。条件式（７）は、倍率色収差、軸上色収差のみならず、球面収差等の諸収差を良好に補正するための第４１群Ｕ４１の焦点距離f41、第４２群Ｕ４２の焦点距離f42の関係を規定している。下限値を超えると、球面収差の補正が不足する。上限値を超えると、球面収差の補正が過剰となる。尚、更に好ましくは条件式（２）〜（４）、（１１）の数値範囲を次の如く設定するのが良い。
【００３２】
【数４】
2010276761.tif 000006
【００３３】
０．３７  ＜  Ｈ’421／Ｈ421      ・・・（３ａ）
Ｈ’411／Ｈ411  ＜  ０．３２      ・・・（４ａ）
【００３４】
【数５】
2010276761.tif 000007
【００３５】
以上のように各実施例によれば、絞りよりも像面側の適切な位置に異常分散性の光学材料を有するレンズを使用している。これにより特に広角端において軸上色収差及び倍率色収差を適切に補正し、ズーム全域で良好なる光学性能を有するズームレンズが得られる。後述する数値実施例１〜８において条件式（１）及び（２）式に関する異常分散性の光学材料のｄ線，ｇ線，Ｃ線，Ｆ線の屈折率及びアッベ数νｄ、部分分散比θｇｄ、θｇＦの数値を表−１に示す。また、表−２に数値実施例１〜８における第４１レンズ群Ｕ４１と第４２レンズ群Ｕ４２の焦点距離を示す。また、表−３に数値実施例１〜８における負の第４１１レンズＬ４１１、正の第４２１レンズＬ４２１の焦点距離を示す。また、表−４に数値実施例１〜８における条件式（１）〜（４）、（１０）、（１１）に対応する数値を示す。また、表−５に数値実施例１〜８における条件式（５）〜（７）に対応する数値を示す。
【００３６】
【表１】
2010276761.tif 000008
【００３７】
【表２】
2010276761.tif 000009
【００３８】
【表３】
2010276761.tif 000010
【００３９】
【表４】
2010276761.tif 000011
【００４０】
【表５】
2010276761.tif 000012
表１〜表５から本発明の各実施例は、説明した各条件を満たしており、絞りＳＰよりも像面側の光路中の適切な位置に異常分散性の光学材料より成るレンズを使用して広角端における軸上色収差を悪化させることなく倍率色収差を良好に補正している。数値実施例１および数値実施例５は、負の第４１１レンズＬ４１１と正の第４２１レンズＬ４２１を比較的離して配置している。このような配置をとることで倍率色収差の補正効果と軸上色収差の補正効果を得ている。
【００４１】
数値実施例２は、正の第４２１レンズＬ４２１を３枚のレンズより成る接合レンズとして硝材で挟み込んで構成している。耐環境性に比較的弱い異常分散材質を用いる場合、このような形態をとると有効的である。数値実施例３は、負の第４１１レンズＬ４１１と正の第４２１レンズＬ４２１が比較的近く、正の第４２１レンズＬ４２１が条件式（３）の下限値に近い位置に配置されている。この場合でも条件式（３）及び条件式（４）を満たす範囲内として、倍率色収差の補正効果と軸上色収差の補正効果を得ている。数値実施例４は、負の第４１１レンズＬ４１１を条件式（４）の上限値に近い位置に配置している。この場合でも条件式（３）及び条件式（４）を満たす範囲内として、倍率色収差の補正効果と軸上色収差の補正効果を得ている。数値実施例６及び数値実施例７は、数値実施例４の第４１レンズ群の一部のレンズ群Ｕ４１ａを挿脱手段により他の光学系Ｕ４１ｂに切り換えた例を示している。いずれにおいても実施例４の第４１面〜第４６面に相当するレンズ群Ｕ４１ａを抜き、その空間に他の光学系を挿着している。数値実施例６では第４１面〜第５１面に相当するレンズ群Ｕ４１ｂ，数値実施例７では第４１面〜第５０面に相当するレンズ群Ｕ４１ｂを挿着している。これにより、全系の焦点距離を長焦点距離側にシフトさせている。
【００４２】
尚、実施例７〜８の第４１レンズ群Ｕ４１には負の第４１１レンズＬ４１１に相当するレンズが含まれていない。第４２レンズ群Ｕ４２に正の第４２１レンズＬ４２１が含まれているので、前述した各条件式(1-2)、(2-2)、（３）、(10-2)、(11-2)に対応した効果が得られる。
【００４３】
以上、本発明の好ましい実施例について説明したが、本発明はこれらの実施例に限定されないことはいうまでもなく、その要旨の範囲内で種々の変形及び変更が可能である。
【００４４】
図４２は各実施例のズームレンズを撮影光学系として用いた撮像装置（テレビカメラシステム）の要部概略図である。図４２において１０１は実施例１〜８のいずれか１つのズームレンズである。１２４はカメラである。ズームレンズ１０１はカメラ１２４に対して着脱可能になっている。１２５はカメラ（撮像装置本体）１２４にズームレンズ１０１を装着することにより構成される撮像装置である。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺは変倍の為に光軸上を移動する第２レンズ群と、変倍に伴う像面変動を補正する為に光軸上を移動する第３レンズ群が含まれている。ＳＰは開口絞りである。第４１レンズ群Ｕ４１の一部のレンズ群Ｕ４１ａは挿脱手段により他のレンズユニットＩＥ（Ｕ４１ｂ）と切り換えられている。
【００４５】
レンズ群Ｕ４１ａをエクステンダーユニットとしてのレンズユニットＩＥ（Ｕ４１ｂ）と交替することによってズームレンズ１０１の全系の焦点距離範囲を長い方へ変移している。１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００４６】
以下に本発明の実施例１〜８に対応する数値実施例１〜８を示す。各数値実施例において、ｉは物体側からの面の順序を示し、ｒｉは物体側より第ｉ番目の面の曲率半径、ｄｉは物体側より第ｉ番目と第ｉ＋１番目の間隔、Ｎｉ，νｉは第ｉ番目の光学部材の屈折率とアッベ数である。最後の２つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０をそれぞれ非球面係数としたとき、次式で表している。
【００４７】
【数１】
2010276761.tif 000013
【００４８】
で表される。又、例えば「ｅ−Ｚ」は「×１０−Ｚ」を意味する。＊印は非球面であることを示している。
【００４９】
［数値実施例１］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9      16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       3.32                             
38        -64.394    0.31   1.63555    22.7           
39       -244.065    1.50   1.72916    54.7           
40         28.560    4.20   1.84666    23.8           
41         63.574    6.04                             
42        -34.299    1.80   1.75500    52.3           
43         62.469    8.89   1.75520    27.5           
44        -38.575   23.29                             
45        -52.454    1.80   1.75500    52.3           
46         34.314   11.59   1.54814    45.8           
47        -33.723    0.20                             
48        112.278    1.80   1.83400    37.2           
49         27.802    9.75   1.48749    70.2           
50        -73.147    0.20                             
51         76.722    8.70   1.49700    81.5           
52        -34.565    1.80   1.80518    25.4           
53      -4665.975    0.50                             
54        113.725    1.88   1.63555    22.7           
55       -882.486    7.01   1.48749    70.2           
56        -33.978    5.00                             
57          ∞      50.00   1.51633    64.2           
58          ∞ 
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離       7.20    31.29   133.20 
Fナンバー      1.54     1.54     1.85 
画角          74.76    19.94     4.72 
像高           5.50     5.50     5.50 
レンズ全長    541.91   541.91   541.91 
BF            47.93    47.93    47.93 
d17            5.08    79.08   112.22 
d26          150.47    62.77     4.53 
d36            2.15    15.84    40.95 
ズームレンズ群データ
群  始面  終面  焦点距離  
1    1    17   113.04  
2   18    26   -29.50  
3   27    36    49.00  
4   38    56    31.38  
【００５０】
［数値実施例２］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9      16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       3.36                             
38        -64.576    0.32   1.63555    22.7           
39       -223.414    1.50   1.72916    54.7           
40         31.568    4.49   1.84666    23.8           
41         64.277    6.41                             
42        -35.690    1.80   1.75500    52.3           
43        112.214    7.49   1.84666    23.8           
44        -42.201   21.73                             
45        -43.390    1.80   1.75500    52.3           
46         34.293   10.63   1.54814    45.8           
47        -30.682    0.20                             
48        188.047    1.80   1.83400    37.2           
49         26.460    9.49   1.48749    70.2           
50        -74.237    0.20                             
51         85.856    8.15   1.49700    81.5           
52        -35.566    1.86   1.63555    22.7           
53        -27.353    1.80   1.80518    25.4           
54       -107.628    0.20                             
55        143.052    8.48   1.48749    70.2           
56        -33.067    5.00                             
57          ∞      50.00   1.51633    64.2           
58          ∞                               
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離       7.20    31.29   133.20   
Fナンバー      1.54     1.54     1.85   
画角          74.76    19.94     4.72   
像高           5.50     5.50     5.50   
レンズ全長    539.03   539.03   539.03   
BF            47.93    47.93    47.93   
d17            5.08    79.08   112.22   
d26          150.47    62.77     4.53   
d36            2.15    15.84    40.95   
ズームレンズ群データ
群  始面  始面    焦点距離  
1    1    17     113.04  
2   18    26     -29.50  
3   27    36      49.00  
4   38    56      30.86  
【００５１】
［数値実施例３］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9      16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       4.34                             
38        -42.711    1.50   1.72916    54.7           
39         24.276    5.46   1.84666    23.8           
40         67.550    5.54                             
41        -46.926    1.80   1.77250    49.6           
42         78.381    0.30   1.69591    17.7           
43         40.036   11.90   1.64769    33.8           
44        -30.980   20.63                             
45        -78.486    1.80   1.77250    49.6           
46         30.319    1.96   1.63555    22.7           
47         42.736   10.10   1.54814    45.8           
48        -41.699    0.20                             
49         80.681    1.80   1.88300    40.8           
50         30.645    8.23   1.48749    70.2           
51       -316.845    0.20                             
52         62.986    9.23   1.49700    81.5           
53        -36.288    1.80   1.80518    25.4           
54       -223.163    0.50                             
55        165.955    7.71   1.48749    70.2           
56        -36.324    5.00                             
57          ∞      50.00   1.51633    64.2           
58          ∞                              
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離       7.20    31.29   133.20   
Fナンバー      1.54     1.54     1.85   
画角          74.76    19.94     4.72   
像高           5.50     5.50     5.50   
レンズ全長    542.33   542.33   542.33   
BF            47.93    47.93    47.93   
d17            5.08    79.08   112.22   
d26          150.47    62.77     4.53   
d36            2.15    15.84    40.95   
ズームレンズ群データ
群  始面  終面    焦点距離  
1    1    17     113.04  
2   18    26     -29.50  
3   27    36      49.00  
4   38    56      33.59  
【００５２】
［数値実施例４］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9      16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       3.42                             
38        -62.203    1.50   1.72916    54.7           
39         31.280    4.15   1.84666    23.8           
40         69.539    6.14                             
41        -33.331    1.80   1.72916    54.7           
42         62.980    8.95   1.72825    28.5           
43        -37.502    9.07                             
44       -122.843    4.04   1.63980    34.5           
45        -56.343    0.30   1.63555    22.7           
46       -185.513   10.20                             
47       -136.178    1.80   1.75500    52.3           
48         31.568   11.40   1.51742    52.4           
49        -37.747    0.20                             
50        106.019    1.80   1.83400    37.2           
51         28.947    9.43   1.48749    70.2           
52        -97.992    0.20                             
53         65.396    9.02   1.49700    81.5           
54        -36.604    1.80   1.80518    25.4           
55        320.393    0.50                             
56        128.411    1.98   1.69591    17.7           
57       -364.984    6.88   1.48749    70.2           
58        -33.582    5.00                             
59          ∞      50.00   1.51633    64.2           
60          ∞     (可変)                             
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離       7.20    31.29   133.20   
Fナンバー      1.54     1.54     1.85   
画角          74.76    19.94     4.72   
像高           5.50     5.50     5.50   
レンズ全長    541.89   541.89   541.89   
BF            47.93    47.93    47.93   
d17            5.08    79.08   112.22   
d26          150.47    62.77     4.53   
d36            2.15    15.84    40.95   
ズームレンズ群データ
群  始面  終面    焦点距離  
1    1    17     113.04  
2   18    26     -29.50  
3   27    36      49.00  
4   37    58      33.39  
【００５３】
［数値実施例５］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9       16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       2.76                             
38        -90.668    1.50   1.72916    54.7           
39         40.523    0.30   1.69591    17.7           
40         26.096    4.52   1.84666    23.8           
41         60.971    5.42                             
42        -41.764    1.80   1.75500    52.3           
43         39.119    9.16   1.84666    23.8           
44        -77.547   24.88                             
45        -50.834    1.80   1.75500    52.3           
46         33.589   11.36   1.51742    52.4           
47        -31.367    0.20                             
48        102.206    1.80   1.83400    37.2           
49         27.239    9.38   1.48749    70.2           
50        -84.802    0.20                             
51         68.486    7.80   1.49700    81.5           
52        -44.315    0.28                             
53        -41.200    1.64   1.69591    17.7           
54        -31.491    1.80   1.80518    25.4           
55       -201.945    0.20                             
56        141.058    8.43   1.48749    70.2           
57        -33.561    5.00                             
58          ∞      50.00   1.51633    64.2           
59          ∞                               
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離       7.20    31.29   133.20   
Fナンバー      1.54     1.54     1.85    
画角          74.76    19.94     4.72    
像高           5.50     5.50     5.50    
レンズ全長    542.55   542.55   542.55    
BF            47.93    47.93    47.93
d17            5.08    79.08   112.22   
d26          150.47    62.77     4.53   
d36            2.15    15.84    40.95   
ズームレンズ群データ
群  始面  始面    焦点距離  
1    1    17     113.04  
2   18    26     -29.50  
3   27    36      49.00  
4   38    57      29.67  
【００５４】
［数値実施例６］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9       16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       3.42                             
38        -62.203    1.50   1.72916    54.7           
39         31.280    4.15   1.84666    23.8           
40         69.539    6.25                             
41       -137.024    3.40   1.64769    33.8           
42        -46.103    1.27                             
43         21.503    9.57   1.49700    81.5           
44       -232.924    0.31   1.63555    22.7           
45         67.742    1.20   1.88300    40.8           
46         36.890    2.98                             
47        -88.064    2.38   1.64769    33.8           
48        -49.609    2.22                             
49       -154.835    0.90   1.88300    40.8           
50         14.723    3.90   1.80809    22.8           
51         29.544    6.12                             
52       -136.178    1.80   1.75500    52.3           
53         31.568   11.40   1.51742    52.4           
54        -37.747    0.20                             
55        106.019    1.80   1.83400    37.2           
56         28.947    9.43   1.48749    70.2           
57        -97.992    0.20                             
58         65.396    9.02   1.49700    81.5           
59        -36.604    1.80   1.80518    25.4           
60        320.393    0.50                             
61        128.411    1.98   1.69591    17.7           
62       -364.984    6.88   1.48749    70.2           
63        -33.582    5.00                             
64          ∞      50.00   1.51633    64.2           
65          ∞                               
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離      14.00    60.85   259.00   
Fナンバー      3.08     3.08     3.60   
画角          42.90    10.32     2.44   
像高           5.50     5.50     5.50   
レンズ全長    541.89   541.89   541.89   
BF            47.93    47.93    47.93   
d17            5.08    79.08   112.22   
d26          150.47    62.77     4.53   
d36            2.15    15.84     40.95  
ズームレンズ群データ
群  始面  始面    焦点距離  
1    1    17     113.04  
2   18    26     -29.50  
3   27    36      49.00  
4   38    63      94.14  
【００５５】
［数値実施例７］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9      16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       3.42                             
38        -62.203    1.50   1.72916    54.7           
39         31.280    4.15   1.84666    23.8           
40         69.539    2.76                             
41        167.329    4.04   1.65412    39.7           
42        -63.346    2.00                             
43         19.261    9.19   1.48749    70.2           
44       -441.993    1.20   1.80518    25.4           
45         20.286    3.91                             
46        -45.319    2.22   1.75520    27.5           
47        -30.474    1.06                             
48        -67.546    0.90   1.69680    55.5           
49         16.303    4.35   1.80809    22.8           
50         29.654    8.86                             
51       -136.178    1.80   1.75500    52.3           
52         31.568   11.40   1.51742    52.4           
53        -37.747    0.20                             
54        106.019    1.80   1.83400    37.2           
55         28.947    9.43   1.48749    70.2           
56        -97.992    0.20                             
57         65.396    9.02   1.49700    81.5           
58        -36.604    1.80   1.80518    25.4           
59        320.393    0.50                             
60        128.411    1.98   1.69591    17.7           
61       -364.984    6.88   1.48749    70.2           
62        -33.582    5.00                             
63          ∞      50.00   1.51633    64.2           
64          ∞                     
非球面データ
第28面
K  = 0.00000e+000  A 4= 2.32112e-007  A 6= 2.35378e-010 
A 8=-2.98860e-013  A10= 1.74212e-016  
各種データ
ズーム比     18.50 
焦点距離      14.12    61.38   261.26 
Fナンバー      3.08     3.08     3.63 
画角          42.56    10.24     2.42 
像高           5.50     5.50     5.50 
レンズ全長   541.89   541.89   541.89  
BF            47.93    47.93    47.93 
d17            5.08    57.08    79.08    95.08   112.22   109.35  
d26          150.47    91.08    62.77    38.87     4.53    11.51  
d36            2.15     9.53    15.84    23.75    40.95    36.84  
ズームレンズ群データ
群  始面    焦点距離  
1   17     113.04  
2   26     -29.50  
3   36      49.00  
4   64      79.71  
【００５６】
［数値実施例８］
面データ
面番号       r        d      nd         νd
1        335.346    4.70   1.77250    49.6           
2        100.786   37.33                             
3       -190.279    4.50   1.77250    49.6           
4       3222.942    0.15                             
5        251.152   10.21   1.71736    29.5           
6       1141.804    7.82                             
7      -1097.861   15.33   1.49700    81.5           
8       -157.636    0.20                             
9       16423.763    4.40   1.80518    25.4           
10        240.582   13.15   1.49700    81.5           
11       -568.448   37.36                             
12        564.340   17.16   1.43387    95.1           
13       -171.752    0.15                             
14        195.384   12.55   1.43387    95.1           
15      -2522.933    0.15                             
16        126.181    8.98   1.61800    63.3           
17        227.998  (可変)                             
18         84.740    1.50   1.88300    40.8           
19         47.202    6.00                             
20       -175.089    1.50   1.77250    49.6           
21        125.630    5.65                             
22        -52.258    1.50   1.77250    49.6           
23       1040.028    8.71   1.80809    22.8           
24        -38.455    0.66                             
25        -36.242    1.50   1.81600    46.6           
26       -249.875  (可変)                             
27       -758.136    5.45   1.61800    63.3           
28*       -99.462    0.20                             
29        355.782    2.50   1.72047    34.7           
30         65.376   11.59   1.61800    63.3           
31       -144.731    0.20                             
32        213.940    9.07   1.60311    60.6           
33        -87.683    2.50   1.84666    23.9           
34       -280.740    0.20                             
35        128.221    8.81   1.62041    60.3           
36       -137.703  (可変)                             
37(絞り)    ∞       2.96                             
38        -79.835    1.50   1.61405    55.0           
39         36.607    4.05   1.90200    25.1           
40         55.048    7.96                             
41        -31.585    1.80   1.75500    52.3           
42         49.051   10.83   1.75520    27.5           
43        -38.289   16.88                             
44        -39.754    1.80   1.75500    52.3           
45         36.678   11.13   1.54814    45.8           
46        -29.872    0.20                             
47        222.287    1.80   1.83400    37.2           
48         27.337    9.66   1.48749    70.2           
49        -64.553    0.20                             
50         85.482    8.85   1.49700    81.5           
51        -31.091    1.80   1.80518    25.4           
52       -139.095    0.50                             
53        149.888    1.99   1.63555    22.7           
54       4596.059    7.29   1.48749    70.2           
55        -33.778    5.00                             
56          ∞      50.00   1.51633    64.2           
57          ∞     (可変)                             
像面        ∞   
非球面データ
第28面
K = 0.00000e+000  A 4= 2.32112e-007  A 6= 2.35378e-010
A 8=-2.98860e-013  A10= 1.74212e-016  
各種データ
ズーム比     18.50 
焦点距離       7.20     31.29   133.20
Fナンバー      1.54      1.54     1.85
画角          37.38      9.97     2.36
像高           5.50      5.50     5.50
レンズ全長    555.56    555.56   555.56
BF              9.99      9.99     9.99
d17            5.08    79.08   112.22
d26          150.47    62.77     4.53
d36            2.15    15.84    40.95
ズームレンズ群データ
群  始面    焦点距離  
1    1     113.04  
2   18     -29.50  
3   27      49.00  
4   37      31.36  
【符号の説明】
【００５７】
Ｕ１：第１レンズ群、Ｕ２：第２レンズ群、Ｕ３：第３レンズ群、Ｕ４：第４レンズ群、Ｕ４１：第４１レンズ群、Ｕ４２：第４１レンズ群、Ｌ４１１：負の屈折力のレンズ、Ｌ４２１：正の屈折力のレンズ、ＳＰ：絞り、ＤＧ：色分解光学系や光学フィルターを示すガラスブロック、ＩＰ：撮像面
【図１】
2010276761.tif 000014
【図２】
2010276761.tif 000015
【図３】
2010276761.tif 000016
【図４】
2010276761.tif 000017
【図５】
2010276761.tif 000018
【図６】
2010276761.tif 000019
【図７】
2010276761.tif 000020
【図８】
2010276761.tif 000021
【図９】
2010276761.tif 000022
【図１０】
2010276761.tif 000023
【図１１】
2010276761.tif 000024
【図１２】
2010276761.tif 000025
【図１３】
2010276761.tif 000026
【図１４】
2010276761.tif 000027
【図１５】
2010276761.tif 000028
【図１６】
2010276761.tif 000029
【図１７】
2010276761.tif 000030
【図１８】
2010276761.tif 000031
【図１９】
2010276761.tif 000032
【図２０】
2010276761.tif 000033
【図２１】
2010276761.tif 000034
【図２２】
2010276761.tif 000035
【図２３】
2010276761.tif 000036
【図２４】
2010276761.tif 000037
【図２５】
2010276761.tif 000038
【図２６】
2010276761.tif 000039
【図２７】
2010276761.tif 000040
【図２８】
2010276761.tif 000041
【図２９】
2010276761.tif 000042
【図３０】
2010276761.tif 000043
【図３１】
2010276761.tif 000044
【図３２】
2010276761.tif 000045
【図３３】
2010276761.tif 000046
【図３４】
2010276761.tif 000047
【図３５】
2010276761.tif 000048
【図３６】
2010276761.tif 000049
【図３７】
2010276761.tif 000050
【図３８】
2010276761.tif 000051
【図３９】
2010276761.tif 000052
【図４０】
2010276761.tif 000053
【図４１】
2010276761.tif 000054
【図４２】
2010276761.tif 000055